(57)【要約】【課題】建物の窓、ドア等の施錠もしくは開錠状態を、電話を使用せずに確認でき、かつ遠隔地から建物の窓、ドア等の施錠もしくは開錠を制御する。【解決手段】建物の窓、ドア等の開閉部と、該開閉部を外部から入力されるコマンドに基づいて制御する集中制御装置１とを有し、前記開閉部は、外部から入力されるコマンドに基づいて該開閉部を施錠し又は開錠する施錠・開錠機構部２００と、施錠・開錠機構部を制御するコマンドを受信して施錠・開錠機構部に出力し、かつ前記開閉部の施錠状態を示す状態情報を送信する通信手段２０とを有し、集中制御装置は、前記開閉部の通信手段と通信し、前記開閉部の施錠状態を電子メールで管理者側に送信して報知すると共に、管理者側から送られた電子メールを受信し、該電子メールまたは該電子メールに添付された音声メッセージからコマンドを抽出し、これらのいずれかのコマンドを前記通信手段に送信する機能を有する。【選択図】　　　図１
2004011329.tif 000002
【特許請求の範囲】
【請求項１】
建物の窓、ドア等の開閉部の施錠状態を管理する施錠管理方法であって、
管理対象となる前記開閉部の施錠状態を電子メールで管理者側に通知すると共に、前記開閉部の施錠状態を管理者側から発信された電子メールに含まれるコマンドまたは電子メールに添付された音声コマンドにより制御することを特徴とする施錠管理方法。
【請求項２】
建物の窓、ドア等の開閉部と、該開閉部を外部から入力されるコマンドに基づいて制御する集中制御装置とを有し、前記開閉部の施錠状態を管理する施錠管理システムであって、
前記開閉部は、外部から入力されるコマンドに基づいて該開閉部を施錠し又は開錠する施錠・開錠機構部と、前記施錠・開錠機構部を制御するコマンドを受信して該施錠・開錠機構部に出力し、かつ前記開閉部の施錠状態を示す状態情報を送信する通信手段とを有し、
前記集中制御装置は、管理者側に設けられた通信端末から送られた電子メールに含まれるコマンドを抽出し、または該電子メールに添付された音声メッセージからコマンドを抽出するコマンド抽出手段と、該電子メールを受信し、前記コマンドを前記通信手段に送信する第２の通信手段を有することを特徴とする施錠管理システム。
【請求項３】
前記集中制御装置は、
前記通信手段より受信した前記開閉部の施錠状態を示す状態情報をテキストデータとして作成し、電子メールで前記第２の通信手段を介して前記通信端末に送信することを特徴とする請求項２に記載の施錠管理システム。
【請求項４】
さらに、前記開閉部の制御に関連する命令データである音声コマンドを登録する音声コマンド登録部を有し、
前記コマンド抽出手段は、電子メールに添付された音声メッセージを解釈する音声認識部を有し、
前記音声認識部は、前記通信端末から受信した電子メールに添付された音声メッセージから得られる音声コマンドを前記音声コマンド登録部に登録された音声コマンドを参照して解釈することを特徴とする請求項３に記載の施錠管理システム。
【請求項５】
さらに、電子メールに添付された音声メッセージの声紋識別を行う声紋識別部を有し、前記第２の通信手段は、前記声紋識別部により識別された特定の音声コマンドのみを前記通信手段に送信することを特徴とする請求項４に記載の施錠管理システム。
【発明の詳細な説明】
【０００１】
【発明の属する技術分野】
本発明は、施錠管理システムに関する。
【０００２】
【従来の技術】
従来のこの種の施錠管理システムにあっては、例えば、このシステムが適用された建物に設置された集中制御装置が、外部からの侵入者を検知した時点で電話にてネットワークを介してその状態を発信するように構成されていた。
【０００３】
【発明が解決しようとする課題】
上記構成からなる従来の施錠管理システムにあっては、このシステムが設置された建物の窓、ドア等の施錠もしくは開錠状態の報知を受ける遠隔地に居る側では、電話に出られない状況では、確認することができないという問題が有った。
また、従来の施錠管理システムでは、施錠（開錠）状態の検知のみで、遠隔地から建物の窓、ドア等の施錠もしくは開錠を制御することができないという問題が有った。
【０００４】
本発明はこのような事情に鑑みてなされたものであり、建物の窓、ドア等の施錠もしくは開錠状態を、電話を使用せずに確認でき、かつ遠隔地から建物の窓、ドア等の施錠もしくは開錠を制御することができる施錠管理方法及び施錠管理システムを提供することを目的とする。
【０００５】
【課題を解決するための手段】
上記目的を達成するために請求項１に記載の発明は、建物の窓、ドア等の開閉部の施錠状態を管理する施錠管理方法であって、管理対象となる前記開閉部の施錠状態を電子メールで管理者側に通知すると共に、前記開閉部の施錠状態を管理者側から発信された電子メールに含まれるコマンドまたは電子メールに添付された音声コマンドにより制御することを特徴とする。
【０００６】
また、請求項２に記載の発明は、建物の窓、ドア等の開閉部と、該開閉部を外部から入力されるコマンドに基づいて制御する集中制御装置とを有し、前記開閉部の施錠状態を管理する施錠管理システムであって、前記開閉部は、外部から入力されるコマンドに基づいて該開閉部を施錠し又は開錠する施錠・開錠機構部と、前記施錠・開錠機構部を制御するコマンドを受信して該施錠・開錠機構部に出力し、かつ前記開閉部の施錠状態を示す状態情報を送信する通信手段とを有し、前記集中制御装置は、管理者側に設けられた通信端末から送られた電子メールに含まれるコマンドを抽出し、または該電子メールに添付された音声メッセージからコマンドを抽出するコマンド抽出手段と、該電子メールを受信し、前記コマンドを前記通信手段に送信する第２の通信手段を有することを特徴とする。
【０００７】
また、請求項３に記載の発明は、請求項２に記載の施錠管理システムにおいて、前記集中制御装置は、前記通信手段より受信した前記開閉部の施錠状態を示す状態情報をテキストデータとして作成し、電子メールで前記第２の通信手段を介して前記通信端末に送信することを特徴とする。
【０００８】
また、請求項４に記載の発明は、請求項３に記載の施錠管理システムにおいて、さらに、前記開閉部の制御に関連する命令データである音声コマンドを登録する音声コマンド登録部を有し、前記コマンド抽出手段は、電子メールに添付された音声メッセージを解釈する音声認識部を有し、前記音声認識部は、前記通信端末から受信した電子メールに添付された音声メッセージから得られる音声コマンドを前記音声コマンド登録部に登録された音声コマンドを参照して解釈することを特徴とする。
【０００９】
また、請求項５に記載の発明は、請求項４に記載の施錠管理システムにおいて、さらに、電子メールに添付された音声メッセージの声紋識別を行う声紋識別部を有し、前記第２の通信手段は、前記声紋識別部により識別された特定の音声コマンドのみを前記通信手段に送信することを特徴とする。
【００１０】
【発明の実施の形態】
以下、本発明の実施形態を、図面を参照して詳細に説明する。本発明の実施形態に係る施錠管理システムの構成を図１に示す。本実施形態に係る施錠管理システムは、建物の窓、ドア等の開閉部（２−１、２−２）と、該開閉部を外部から入力されるコマンドに基づいて制御する集中制御装置１とを有し、前記開閉部の施錠状態を管理する機能を有している。
【００１１】
図１において、本実施形態に係る施錠管理システムでは、開閉部としての窓２−１、ドア２−２は、外部から入力されるコマンドに基づいてこれらを施錠し又は開錠する施錠・開錠機構部２００と、施錠・開錠機構部２００を制御するコマンドを受信して該施錠・開錠機構部２００に出力し、かつ施錠状態を示す状態情報を送信する通信手段としての近距離無線通信部２０とを有している。
【００１２】
施錠・開錠機構部２００は、図２に示すように窓２−１、ドア２−２を施錠するためのキーロック装置２０００と、キーロック装置２０００の施錠状態を検知するセンサ２００２と、キーロック装置を駆動するモータ駆動装置２００４と、近距離無線通信部２０より送られた制御データを記憶・保持するデータバッファ２００６と、データバッファ２００６に保持された制御データに基づいてモータ駆動装置２００４を制御する制御回路２００８とを有している。センサ２００２は、キーロック装置２０００の施錠状態、すなわち、キーロック装置２０００が開錠された状態にあるか、施錠された状態にあるかを示す信号を出力するように構成されている。
【００１３】
集中制御装置１は、窓２−１、ドア２−２の近距離無線通信部２０と通信し、窓２−１、ドア２−２の施錠状態を無線ＬＡＮアクセスポイント３、ネットワーク（インターネット等）４を介して電子メールで該ネットワーク４に接続される管理者側の通信端末５に送信して報知すると共に、管理者側の通信端末５から送られた電子メールを受信し、該電子メールに含まれるコマンドを抽出し、該コマンドを窓２−１、ドア２−２の近距離無線通信部２０に送信する機能を有する。
なお、本実施形態では、説明の便宜上、施錠管理システムの管理対象である開閉部として、窓２−１、ドア２−２のみを示しているが、２以上の多数の開閉部を対象としてもよいし、単一の開閉部を対象としてもよい。
また、通信端末５はネットワークに接続することができるパーソナルコンピュータ、携帯電話、ＰＤＡ（Ｐｅｒｓｏｎａｌ　Ｄｉｇｉｔａｌ　Ａｓｓｉｓｔａｎｔ）等である。
【００１４】
集中制御装置１は、ＣＰＵ１００と、ＲＯＭ１０２と、ＲＡＭ１０４と、近距離無線通信部１０６と、音声認識部１０８と、声紋識別部１１０と録音部１１２と、音声メモリ１１４とを有している。
ＲＯＭ１０２には、電子メールの（テキストデータを）自動作成処理、問い合せ処理、開錠・施錠処理等の処理を実行するためのプログラムを含む各種プログラム及び固定データが格納されている。
近距離無線通信部１０６は、本実施形態では、プロトコルとして、Ｂｌｕｅｔｏｏｔｈを用いるものとする。
【００１５】
音声メモリ１１４は、録音部１１２により入力された窓２−１、ドア２−２の制御に関連する命令データである音声コマンドが登録されるようになっている。また、音声メモリ１１４には施錠管理システムの関係者の音声による音声コマンドのみに基づいて各種処理が行われるように、上記関係者の声紋が登録されている。
録音部１１２は、例えば、音声入力を行うためのマイク、キー入力部、表示部、Ａ／Ｄコンバータ、録音再生部、制御部等から構成されている。キー入力部には、音声コマンドの登録動作を開始させるための登録開始キー、コマンドの種類を選択するための選択キー、録音開始キー、録音終了キー等のキーを有している。
なお、音声メモリ１１４は、録音部１１２に内蔵するようにしてもよい。
【００１６】
音声認識部１０８は、管理者側の通信端末５より送信される電子メールに添付された音声メッセージを解釈する機能を有する。
声紋識別部１１０は、管理者側の通信端末５より送信される電子メールに添付された音声メッセージの声紋識別を行う機能を有する。
近距離無線通信部１０６は、窓２−１、ドア２−２の近距離無線通信部２０あるいは、無線ＬＡＮアクセスポイントと通信する機能を有する。
ＣＰＵ１００は、ＲＯＭ１０２に格納された各種プログラムを実行することにより各部を制御する。
【００１７】
次に、ＣＰＵ１００がＲＯＭ１０２に格納された各種プログラムを実行することにより行われる集中制御装置１の動作を、図３乃至図７を参照して説明する。図３は窓２−１、ドア２−２の制御に関連する音声コマンドを予め登録する際の音声コマンド登録処理の内容を示している。音声コマンド登録処理では、このシステムの使用者は、予め制御に使用するコマンドを図３の手順で登録しておく。複数の使用者が存在する場合には、全員分の音声コマンドを登録しておく。
【００１８】
音声コマンドとしては、制御対象（窓、ドア等）の選択、制御対象の現在の施錠状態の取得、施錠、開錠をそれぞれ、行うためのものがある。
図３において、録音部１１２内に設けられているキー入力部の登録開始キーを押下することにより登録動作を開始させると（ステップ３００）、次いで表示部に音声コマンドの登録番号を選択するようにメッセージが表示される。
【００１９】
ここで、登録番号を選択すると（ステップ３０１）、登録すべき音声コマンドの種別が表示部に表示される。ここで登録すべき音声コマンドを選択し（ステップ３０２）、次いで録音開始キーを操作すると（ステップ３０３）、マイクより入力される音声の録音が開始される（ステップ３０４）。そして、音声コマンドの音声入力が終了し、録音終了キーを操作すると（ステップ３０５）、録音内容を確認するか否かが判定される（ステップ３０６）。この判定が肯定されると、録音された音声が録音再生部により再生され（ステップ３０７）、ステップ３０８に移行する。
【００２０】
また、ステップ３０６の判定が否定された場合にもステップ３０８に移行する。ステップ３０８では、音声コマンドの登録を終了するか否かが判定される（ステップ３０８）。
ステップ３０８の判定が否定された場合にはステップ３００に戻り、既述した処理を繰り返す。また、ステップ３０８の判定が肯定された場合にはこの処理の実行を終了する。
【００２１】
次に、施錠管理システムの管理者から発信された電子メールに基づいて施錠管理が行われる動作を図４及び図５を参照して説明する。本実施形態では、電子メールの本文にテキストコマンドを記述するか、もしくは音声コマンドを録音したＰＣＭデータファイルを電子メールに添付することにより制御対象を制御するためのコマンドの受け渡しを行う。
【００２２】
これらの図において、管理者の電子メールが通信端末５より発信され、ネットワーク４、無線ＬＡＮアクセスポイント３を介して集中制御装置１の近距離無線通信部１０６で受信されると（ステップ４００）、添付ファイルがあるか否かが判定される（ステップ４０１）。添付ファイルがない場合には、暗号化されている電子メールのテキストデータを解読し、テキストコマンドを抽出し、処理はステップ４１５に移行する（ステップ４０７、４０８、４０９）。
【００２３】
一方、ステップ４０１で添付ファイルが有ると判定された場合には添付ファイルを展開し（ステップ４０２）、添付ファイルの内容が音声コマンドデータであるか否かが判定される（ステップ４０３）。ステップ４０３の判定が肯定された場合には、ＣＰＵ１００の制御下に声紋識別部１１０により音声コマンドデータの声紋チェック、すなわち、音声メモリ１１４に登録されている声紋と一致するか否かの判定が行われる（ステップ４０４、４０５）。声紋が一致すると判定された場合には、音声コマンドを抽出し、処理はステップ４１２に移行する（ステップ４０６）。
【００２４】
また、ステップ４０３、４０５、４０８の判定が否定された場合にはエラーレポートが作成され（ステップ４１０）、電子メールが近距離無線通信部１０６より無線ＬＡＮアクセスポイント３、ネットワーク４を介して管理者の所有する通信端末に送信され、このプログラムの実行を終了する。
ステップ４０６で音声コマンドが抽出されると、ステップ４１２で音声認識部１０８により音声認識が行われる。すなわち、ステップ４０６で抽出された音声コマンドが音声メモリ１１４に登録されている音声コマンドと一致するか否かが判定される（ステップ４１３）。
【００２５】
ステップ４１３の判定が否定された場合には、エラーレポートが作成され（ステップ４１４）、このプログラムの実行を終了する。
また、ステップ４１３の判定が肯定された場合には添付ファイルから抽出された音声コマンドが制御対象選択コマンドであるか否かが判定される。また、ステップ４０９で抽出されたテキストコマンドも同様に制御対象コマンドであるか否かが判定される（ステップ４１５）。ここで、制御対象選択コマンドとは、施錠管理システムの管理対象を選択するコマンドを意味するものとする。
【００２６】
ステップ４１５で添付ファイルから抽出された音声コマンドが制御対象選択コマンドであると判定された場合には、現在の制御対象、例えば、集中制御装置１の近距離無線通信部１０６が窓２−１の近距離無線通信部２０とのコネクションが確立している状態にある場合には、このコネクションを切断し（ステップ４１６）、新しい制御対象、例えば、ドア２−２の近距離無線通信部２０とのコネクションを確立し（ステップ４１７）、処理はステップ４２４に移行する。
【００２７】
一方、ステップ４１５の判定が否定された場合には、添付ファイルから抽出された音声コマンドが問い合わせコマンドであるか否かが判定される（ステップ４１８）。ここで、問い合わせコマンドとは、制御対象である窓、ドアの施錠状態を問い合わせるためのコマンドを意味する。ステップ４１８の判定が肯定された場合には、図６に示す問い合わせ処理を実行し（ステップ４１９）、処理はステップ４２４に移行する。
【００２８】
また、ステップ４１８の判定が否定された場合には、添付ファイルから抽出された音声コマンドが開錠コマンドであるか否かが判定される（ステップ４２０）。ここで、開錠コマンドとは、制御対象である窓、ドアを開錠させるためのコマンドを意味する。ステップ４２０の判定が肯定された場合には、図７に示す開錠処理を実行し（ステップ４２１）、処理はステップ４２４に移行する。
【００２９】
また、ステップ４２０の判定が否定された場合には、添付ファイルから抽出された音声コマンドが施錠コマンドであるか否かが判定される（ステップ４２２）。ここで、施錠コマンドとは、制御対象である窓、ドアを施錠させるためのコマンドを意味する。ステップ４２２の判定が肯定された場合には、図７に示す施錠処理を実行し（ステップ４２３）、処理はステップ４２４に移行する。
【００３０】
ステップ４２２の判定が否定された場合には、エラーレポートが作成され（ステップ（４１０）、電子メールが近距離無線通信部１０６より無線ＬＡＮアクセスポイント３、ネットワーク４を介して管理者の所有する通信端末に送信され、このプログラムの実行を終了する。
ステップ４２４では、次のコマンドが有るか否かが判定され、次のコマンドが有る場合には処理はステップ４１２に戻る。また、ステップ４２４で次のコマンドがないと判定された場合にはそのまま、このプログラムの実行を終了する。
【００３１】
次に、図５のステップ４１９における問い合わせ処理の内容を、図６を参照して説明する。図６において、集中制御装置１では、問い合わせコマンドを近距離無線通信部１０６より発信し（ステップ５００）、窓２−１、ドア２−２では、上記問い合わせコマンドをそれぞれ、近距離無線通信部２０により受信する（６００）。
窓２−１、ドア２−２では、施錠・開錠機構部２００内のセンサ２００２により検知された現在の施錠状態を近距離無線通信部２０より集中制御装置１に送信する（ステップ６０１）。
【００３２】
集中制御装置１では窓２−１、ドア２−２の現在の施錠状態を示すデータを近距離無線通信部１０６で受信する（ステップ５０１）。次いで、窓２−１、ドア２−２の現在の施錠状態を知らせる電子メールのテキストデータを生成し（ステップ５０２）、この電子メールを近距離無線通信部１０６より無線ＬＡＮアクセスポイント３、ネットワーク４を介して管理者が所有する通信端末５に発信する（ステップ５０３）。
【００３３】
次に、開錠及び施錠処理について図７を参照して説明する。集中制御装置１では、開錠コマンド、または施錠コマンドを近距離無線通信部１０６より発信し（ステップ７００）、窓２−１、ドア２−２では、上記開錠コマンド、または施錠コマンドをそれぞれ、近距離無線通信部２０により受信する（８００）。
窓２−１、ドア２−２の施錠・開錠機構部２００では、開錠コマンド、または施錠コマンドを、データバッファを介して制御回路２００８に取り込み、制御回路２００８は上記開錠コマンド、または施錠コマンドに基づいて、モータ駆動装置２００４を制御して、モータ（図示せず）を駆動し、窓２−１、ドア２−２を施錠または、開錠する（ステップ８０１、８０２）。
【００３４】
そして、窓２−１、ドア２−２では、集中制御装置１より受信した開錠コマンド、または施錠コマンドに基づく処理を終了したことを示す処理終了通知を近距離無線通信部２０より集中制御装置１に対して発信する（ステップ８０３）。
集中制御装置１では、処理終了通知を近距離無線通信部１０６で受信し（ステップ７０１）、処理終了を通知する電子メールのテキストデータを生成する（ステップ７０２）。次いで、処理終了を通知する電子メールを近距離無線通信部１０６より無線ＬＡＮアクセスポイント３、ネットワーク４を介して管理者が所有する通信端末５に発信する（ステップ７０３）。
【００３５】
本実施形態に係る施錠管理システムによれば、電子メールを利用して窓やドアの施錠及び開錠の状態の問い合わせ、並びに制御を行うようにしたので、建物の窓、ドア等の施錠もしくは開錠状態を、電話を使用せずに確認でき、かつ遠隔地から建物の窓、ドア等の施錠もしくは開錠を制御することができる。
【００３６】
【発明の効果】
本発明によれば、管理対象となる建物の窓、ドア等の開閉部の施錠状態を電子メールで管理者側に通知すると共に、前記開閉部の施錠状態を管理者側から発信された電子メールに含まれるコマンドまたは電子メールに添付された音声コマンドにより制御するようにしたので、建物の窓、ドア等の施錠もしくは開錠状態を、電話を使用せずに確認でき、かつ遠隔地から建物の窓、ドア等の施錠もしくは開錠を制御することができる。
【図面の簡単な説明】
【図１】本発明の実施形態に係る施錠管理システムの構成を示すブロック図。
【図２】図１に示した施錠管理システムにおける施錠・開錠機構部の具体的構成を示すブロック図。
【図３】図１に示した施錠管理システムにおける音声コマンド登録処理の内容を示すフローチャート。
【図４】図１に示した施錠管理システムにおいて、管理者から発信された電子メールに基づいて施錠管理が行われる動作を示すフローチャート。
【図５】図１に示した施錠管理システムにおいて、管理者から発信された電子メールに基づいて施錠管理が行われる動作を示すフローチャート。
【図６】図５における問い合わせ処理の内容を示すフローチャート。
【図７】図５における開錠・施錠処理の内容を示すフローチャート。
【符号の説明】
１…集中制御装置、２−１…窓（開閉部）、２−２…ドア（開閉部）、３…無線ＬＡＮアクセスポイント、４…ネットワーク、５…通信端末、２０、１０６…近距離無線通信部（通信手段）、１００…ＣＰＵ、１０２…ＲＯＭ、１０４…ＲＡＭ、１０８…音声認識部、１１０…声紋識別部、１１２…録音部、１１４…音声メモリ、２００…施錠・開錠機構部、２０００…キーロック装置、２００２…センサ、２００４…モータ駆動装置、２００６…データバッファ、２００８…制御回路
【図１】
2004011329.tif 000003
【図２】
2004011329.tif 000004
【図３】
2004011329.tif 000005
【図４】
2004011329.tif 000006
【図５】
2004011329.tif 000007
【図６】
2004011329.tif 000008
【図７】
2004011329.tif 000009